(57)【要約】      （修正有）【課題】サンプル容器を気密かつ液密に密閉することができ、サンプル容器に栓体を装着したままの状態で、オートサンプラ装置がサンプル容器を自動で操作することができ、サンプル容器との脱着を円滑に行うことができる栓体を提供する。【解決手段】端部に開口部を有する筒状のサンプル容器１に用いられる栓体６であって、この栓体は、サンプル容器における開口部を有する端部が挿入される栓体陥入部７と、サンプル容器の軸線方向へと栓体陥入部の天井面から突出し、サンプル容器における開口部内壁に密着する押栓部８と、栓体陥入部の周面から突出し、サンプル容器の開口部近傍の外周面を押圧する周面固定部９と、を有してなることを特徴とする。【選択図】図３
0003186815.tif 000002
【実用新案登録請求の範囲】
【請求項１】
端部に開口部を有する筒状のサンプル容器に用いられる栓体であって、
この栓体は、前記サンプル容器における開口部を有する端部が挿入される栓体陥入部と、
前記サンプル容器の軸線方向へと前記栓体陥入部の天井面から突出し、前記サンプル容器における開口部内壁に密着する押栓部と、
前記栓体陥入部の周面から突出し、前記サンプル容器の開口部近傍の外周面を押圧する周面固定部と、
を有してなることを特徴とする栓体。
【請求項２】
前記栓体には、前記栓体陥入部と、前記押栓部と、前記周面固定部との組み合わせが、２組設けられて成ることを特徴とする請求項１に記載の栓体。
【請求項３】
前記押栓部は、前記栓体陥入部の天井面からドーム状に突出して成ることを特徴とする請求項１又は請求項２に記載の栓体。
【考案の詳細な説明】
【技術分野】
【０００１】
この考案は、サンプル容器に用いられる栓体であって、さらに詳しくは、サンプル容器の内部を気密かつ液密に密閉することができるとともに、栓体をしたままでサンプル容器をオートサンプラ装置に設置することができるサンプル容器に用いられる栓体に関する。
【背景技術】
【０００２】
容器内に試料が自動で供給される、又は容器内の試料が自動で吸引される装置としてオートサンプラ装置が広く知られている。さらに、容器内の試料の反応や分析等を行うことができるオートサンプラ装置もある。
【０００３】
特許文献１には、オートサンプラ装置の具体例として、「脱気工程、吸着工程、脱離工程、キャリブレーション工程からなる一連の工程を連続的に行い、比表面積を自動測定することができ、オペレータが分析用セルを所定の位置に設置した後においては、一連の工程が終了するまで無人状態で測定を実行することができ、分析作業を自動化することができ、省人化を実現することができる」装置が開示されている（特許文献１の段落番号００３０）。また、特許文献１には、測定試料が充填されるサンプル容器として、Ｕ字形ガラス製セル３が記載されている（特許文献１の段落番号００３１、図１〜４）。
【０００４】
サンプル容器内に充填された試料は、長時間にわたって保存されなければならない場合がある。試料を長時間保存する場合には、試料の変性や劣化を防ぐことが重要である。従来、図１で示されるように、Ｕ字形であるサンプル容器１の開口部のそれぞれに試料保存用ゴム栓体２を装着し、サンプル容器１の外部から空気や液体が入らないように、試料を保存している。しかし、サンプル容器１に試料保存用ゴム栓体２を装着したままの状態では、特許文献１に記載された分析用セル冷却装置において、サンプル容器１が自動で操作されることができないという問題がある。サンプル容器１がオートサンプラ装置によって自動に操作されるには、試料保存用ゴム栓体２を外した後、さらに、オートサンプラ操作用保持治具３を、図２で示すようにサンプル容器１に取り付けることが必要であり、操作が煩雑である。
【０００５】
また、図２において、従来用いられているオートサンプラ操作用保持治具３を示す。オートサンプラ操作用保持治具３は、２つの孔４を有し、孔４にサンプル容器１の２つの開口部が挿入され、孔４の内周面に設けられたＯリング５が、サンプル容器１を固定する。オートサンプラ操作用保持治具３の材質は、通常、硬質性の熱可塑性樹脂が用いられている。しかし、オートサンプラ操作用保持治具３は、硬質性の熱可塑性樹脂によって形成されることと、サンプル容器１の開口部を塞ぐ栓体の構造を有さないこととから、オートサンプラ操作用保持治具３を用いることによっては、サンプル容器１の内部を気密かつ液密に保つことができない。よって、長時間にわたって試料を保存する際には、オートサンプラ操作用保持治具３を使用することができないという問題がある。また、孔４に設けられたＯリングが孔４の内部から脱落すること、又は孔４の内部に保持されたＯリングの位置がずれてしまうことが原因で、オートサンプラ操作用保持治具３をサンプル容器１取り付ける際に、使用者が円滑に操作することができないことが多い、という問題もある。
【先行技術文献】
【特許文献】
【０００６】
【特許文献１】特開２０００−９６３２号公報
【考案の概要】
【考案が解決しようとする課題】
【０００７】
この考案は、サンプル容器を気密かつ液密に密閉することができ、サンプル容器に栓体を装着したままの状態で、オートサンプラ装置がサンプル容器を自動で操作することができ、サンプル容器と栓体との着脱を円滑に行うことができる栓体を提供することを課題とする。
【課題を解決するための手段】
【０００８】
前記課題を解決するための手段は、
（１）端部に開口部を有する筒状のサンプル容器に用いられる栓体であって、この栓体は、前記サンプル容器における開口部を有する端部が挿入される栓体陥入部と、前記サンプル容器の軸線方向へと前記栓体陥入部の天井面から突出し、前記サンプル容器における開口部内壁に密着する押栓部と、前記栓体陥入部の周面から突出し、前記サンプル容器の開口部近傍の外周面を押圧する周面固定部と、を有してなることを特徴とする栓体であり、
（２）前記栓体には、前記栓体陥入部と、前記押栓部と、前記周面固定部との組み合わせが、２組設けられて成ることを特徴とする前記（１）に記載の栓体であり、
（３）前記押栓部は、前記栓体陥入部の天井面からドーム状に突出して成ることを特徴とする前記（１）又は（２）に記載の栓体である。
【考案の効果】
【０００９】
この考案に係る栓体は、栓体陥入部の天井面から突出した押栓部が、サンプル容器の開口部付近の内壁と密着することにより、サンプル容器外部からサンプル容器内部への気体及び液体の流入と、サンプル容器内部からサンプル容器外部への気体及び液体の流出とを防ぐことができる。よって、サンプル容器の内部に試料を長期間保存することを目的として、この考案に係る栓体を使用することができる。
この考案に係る栓体は、押栓部と周面固定部とによってサンプル容器を固定する形状を有するので、この考案に係る栓体を装着したままで、オートサンプラ装置がサンプル容器を自動で操作することができる。よって、サンプル容器から試料保存用ゴム栓体を取り外し、オートサンプラ操作用保持治具をサンプル容器に取り付ける操作が不要であり、実験操作が簡便である。
この考案に係る栓体は、Ｏリングに代表される密封用部材を用いることなく、栓体陥入部に設けられた押栓部と周面固定部とによってサンプル容器を密閉及び固定することができるので、サンプル容器と栓体との着脱を円滑にすることができる。
【図面の簡単な説明】
【００１０】
【図１】図１は、従来、サンプル容器内の試料を長期間にわたって保存する場合に用いられている試料保存用ゴム栓体と、サンプル容器とを示す縦断面図である。
【図２】図２は、従来、サンプル容器をオートサンプラ装置に取り付ける際に用いられているオートサンプラ操作用保持治具と、サンプル容器とを示す縦断面図である。
【図３】図３は、この考案に係る栓体とサンプル容器とを示す縦断面図である。
【考案を実施するための形態】
【００１１】
図３に示されるように、この考案の一例であるサンプル容器の栓体６は、栓体陥入部７と押栓部８と周面固定部９とを有する。
【００１２】
サンプル容器１の栓体６は略直方体形状を有し、栓体６の３辺の長さは、一例として、８〜１２ｍｍ、３５〜４５ｍｍ、８〜１２ｍｍに設計されることが好ましい。このような形状、及び大きさを有すると、特許文献１に記載されたオートサンプラ装置である分析用セル冷却装置において、栓体６が取り付けられたまま、サンプル容器１が自動で操作されることができる。なお、各種のオートサンプラ装置において、栓体６を取り付けたサンプル容器１が自動で操作される限りにおいて、栓体６の形状、大きさ等は適宜設計変更することができる。
【００１３】
栓体陥入部７は、略直方体である栓体６の面のうち最も面積の大きい面の１つに設けられ、栓体６の一面から栓体６の内部へと窪んだ穴状の形状を有する。サンプル容器１と栓体６とを取り付ける際には、開口部を有するサンプル容器１の端部は、栓体陥入部７の内部に挿入される。Ｕ字状のサンプル容器１の栓体として設計される場合には、栓体６に栓体陥入部７は２個ずつ設けられることが好ましいが、容器の形状やオートサンプラ装置の使用状況等に応じて、栓体６に設けられる栓体陥入部７の個数を変更してもよい。また、栓体陥入部７の大きさ、及び形状も、サンプル容器１の開口部を有する端部を挿入できる限りにおいて、適宜設計変更することができる。
【００１４】
栓体陥入部７の天井面からは、押栓部８が突出する。押栓部８は、サンプル容器１に栓体６を装着するときに、サンプル容器１の開口部内壁に密着する。押栓部８とサンプル容器１の開口部内壁とが密着することによって、容器内と容器外との間での気体及び液体の交換が防止され、容器内部が気密及び液密に保たれることができる。押栓部８とサンプル容器１の開口部内壁とが密着する態様は、押栓部８の周面の一部と開口部内壁の一部とが僅かに接するのみであり、言い換えると縦断面図において押栓部８とサンプル容器１の内面とが点で接するような態様であってもよい。さらに、サンプル容器１の内部を液密及び気密に封じることができる限りにおいて、押栓部８の形状はさまざまのものを採用することができ、具体的には、球状、ドーム状、半球状、円錐台形状、及び多角錐台形状が挙げられる。
【００１５】
また、栓体陥入部７の周面から、周面固定部９が突出する。サンプル容器１に栓体６が装着されるときに、周面固定部９は、サンプル容器１の開口部を有する端部近傍の外周面から中心方向へと押圧力を加える。サンプル容器１が中心方向への押圧力を加えられることによって、サンプル容器１の端部は、栓体陥入部７から脱落することなく、栓体陥入部７の内部で固定される。周面固定部９は、サンプル容器１を脱落させることなく押圧力を加えることができる限りにおいて、さまざまの形状に設計変更することができる。例えば、周面固定部９は、栓体陥入部７の周面全体から突出していてもよく、また、栓体陥入部７の周面の一部から部分的に突出していてもよい。
【００１６】
栓体６は、開口部内壁に押栓部８が密着し、サンプル容器１の外部と内部とを液密及び気密に維持することができるように、弾性を有する材料で形成されることが好ましい。例えば、栓体６に用いられる弾性を有する材料として、シリコンゴム、ニトリルブタジエンゴム、スチレンブタジエンゴム、フッ素ゴム、及びエチレンプロピレンゴム等が挙げられる。
【００１７】
サンプル容器１は、端部に開口部を有する筒状の容器であり、好ましくはＵ字型の形状を有する。サンプル容器１の材質としては、高温耐性及び低温耐性を有する材料を用いることができ、通常はガラスである。サンプル容器１の軸線方向の長さは、１０〜２０ｃｍであることが好ましい。サンプル容器１の断面形状は、円形、多角形のいずれであってもよいが、円形であることが好ましい。サンプル容器１の断面形状が円形である場合に、断面形状の直径は、通常１０〜５０ｍｍである。サンプル容器１は、オートサンプラ機能を有する様々な計測機器に用いられることができ、流動式粒度比表面積形に用いられることが好ましい。
【００１８】
次に、この考案の栓体の作用について説明する。
【００１９】
例えば、オートサンプラ装置に用いられるＵ字形のサンプル容器１に、分析測定用の試料を充填する。充填された試料を長時間にわたって保存する必要がある場合に、この考案に係る栓体６を使用することができる。サンプル容器１の開口部を有する一方の端部を、栓体６が有する一方の栓体陥入部７に挿入するとともに、サンプル容器１の開口部を有する他方の端部を、栓体６が有する他方の栓体陥入部７に挿入する。栓体陥入部７の内部には、押栓部８及び周面固定部９が突出しているので、サンプル容器１の端部を栓体陥入部７に押し込んで挿入する際に、反発力が発生する。しかし、弾性を有する材料からなる栓体６を、反発力に抗して最後まで押し込むことにより、サンプル容器１に栓体６を装着することができる。
【００２０】
サンプル容器１と栓体６とが装着された状態では、栓体陥入部７の天井面から突出する押栓部８の一部が、サンプル容器１の開口部からサンプル容器１の内部へと侵入している。また、サンプル容器１と栓体６とが装着された状態では、サンプル容器１の開口部近傍において、押栓部８の外面とサンプル容器１の内壁とが密着する。このことにより、サンプル容器１の内部と外部との間で、気体及び液体の交換をすることができず、サンプル容器１の内部は気密及び液密に保たれる。よって、サンプル容器１の内部に充填した試料を、長期間にわたって劣化することなく、保存することができる。
【００２１】
また、栓体陥入部７の内部にサンプル容器１の端部が挿入されると、栓体陥入部７の周面から突出する周面固定部９が、サンプル容器１の外壁を押圧する。容器の外壁が押圧されることによって、サンプル容器１の周面から中心方向へと押圧力が加えられる。この押圧力によって、サンプル容器１の端部が栓体陥入部７から脱落されることが防止され、かつサンプル容器１が栓体陥入部７の特定の位置に固定されることとなる。
【００２２】
栓体６は、弾性を有する材料によって形成されているので、サンプル容器１と栓体６と
を装着する際の摩擦力を抑えることができ、円滑に着脱操作をすることができる。また、
栓体６は、栓体６に一体に備え付けられた押栓部８と周面固定部９とによってサンプル容
器１を固定することができるので、別途Ｏリング等の固定部材を用いる必要がなく、固定
部材の不良等によって、着脱操作に手間取ることもない。
【００２３】
そして、サンプル容器１の内部に封入された試料を、オートサンプラ装置を用いて分析を行う場合には、栓体６を装着したまま、サンプル容器１をオートサンプラ装置に備えつけることができる。栓体６は押栓部８と周面固定部９とによってサンプル容器を固定する形状なので、例えば、特許文献１に記載されたオートサンプラ装置である分析用セル冷却装置において、栓体６を装着したままで、オートサンプラ装置がサンプル容器１を自動で操作することができる。よって、サンプル容器１の内部に試料を保存してある状態から、オートサンプラ装置を用いて分析しようとする場合に、従来のように試料保存用ゴム栓体２をサンプル容器１から取り外した後で、オートサンプラ操作用保持治具３を取り付けるという操作を行う必要がなく、分析効率を上げることができる。
【符号の説明】
【００２４】
１          サンプル容器
２          試料保存用ゴム栓体
３          オートサンプラ操作用保持治具
４          孔
５          Ｏリング
６          栓体
７          栓体陥入部
８          押栓部
９          周面固定部
【図１】
0003186815.tif 000003
【図２】
0003186815.tif 000004
【図３】
0003186815.tif 000005